(57)【要約】【課題】対向走査を行う書き込みユニットにおいて、基準となる同期検知装置の出力を用いて、リアルタイムで同期検知装置を設置していない面の同期検知信号を生成することにより、対向面から同期検知装置を取り除く画像形成装置を提供する。【解決手段】回転多面鏡１３の異なる面で複数の光ビームを同時に反射させて露光する画像形成装置において、光ビームから基準となる光ビームを検知して基準となる水平同期信号を生成する対向同期生成装置１７と、水平同期信号の繰り返し時間間隔を計測する同期間隔計測ブロック１８と、ポリゴンミラー１３の１回転時間からの面単位平均時間を同期間隔計測ブロック１８の計測結果から算出する平均値算出ブロック２０とを備え、同期間隔計測ブロック１８の各面毎の計測結果と面単位平均時間との差から基準光ビーム以外の光ビームの書き出しタイミングを決定する。【選択図】図３
2007229963.tif 000002
【特許請求の範囲】
【請求項１】
回転多面鏡の異なる面で複数の光ビームを同時に反射させて露光する画像形成装置において、前記光ビームから基準となる光ビームを検知して基準となる水平同期信号を生成する同期信号生成手段と、前記水平同期信号の繰り返し時間間隔を計測する同期間隔計測手段と、前記回転多面鏡の１回転時間からの面単位平均時間を前記同期間隔計測手段の計測結果から算出する平均値算出手段と、を備え、前記同期間隔計測手段の各面毎の計測結果と面単位平均時間との差から前記基準光ビーム以外の光ビームの書き出しタイミングを決定することを特徴とする画像形成装置。
【請求項２】
前記同期間隔計測手段は、画素クロックよりも高速である高速クロックを用いて計測することを特徴とする請求項１記載の画像形成装置。
【請求項３】
前記高速クロックは、画素クロックのＮ逓倍クロックであり、この高速クロックを用いて書き出しタイミングを調整することを特徴とする請求項１又は２記載の画像形成装置。
【発明の詳細な説明】
【技術分野】
【０００１】
本発明は、回転多面鏡の異なる面で複数の光ビームを同時に反射させて露光する書き込み装置を備えるカラー複写機、カラープリンタ等の画像形成装置に関するものである。
【背景技術】
【０００２】
従来から、回転多面鏡の異なる面で複数の光ビームを同時に反射させて露光する画像形成装置においては、同期位置ズレの発生、画像の劣化を回避するために幾つかの技術が提案されている（例えば、特許文献１及び２参照）。
特許文献１には、第１同期信号の間隔を測定することにより、同期検知を設置しない面の同期検知タイミングを生成する構成が開示されている。また、特許文献２においても、同期検知より一定期間遅延させて、同期検知を設置していない面のタイミングを生成する構成が開示されている。
【特許文献１】特開２００４−１０２２７６公報
【特許文献２】特開２００３−２００６０９公報
【発明の開示】
【発明が解決しようとする課題】
【０００３】
しかしながら、上記従来技術には、ポリゴンモータの回転速度変動（ジター）などに関する記述がなく、ポリゴンモータの回転速度変化により、同期位置ズレが発生してしまい、画像を劣化させるという問題がある。
そこで、本発明の目的は、上述した実情を考慮して、対向走査を行う書き込みユニットにおいて、基準となる同期検知装置の出力を用いて、リアルタイムで同期検知装置を設置していない面の同期検知信号を生成することにより、同期検知装置を設置していない面の同期検知装置を取り除く画像形成装置を提供することにある。
【課題を解決するための手段】
【０００４】
上記の課題を解決するために、請求項１に記載の発明は、回転多面鏡の異なる面で複数の光ビームを同時に反射させて露光する画像形成装置において、前記光ビームから基準となる光ビームを検知して基準となる水平同期信号を生成する同期信号生成手段と、前記水平同期信号の繰り返し時間間隔を計測する同期間隔計測手段と、前記回転多面鏡の１回転時間からの面単位平均時間を前記同期間隔計測手段の計測結果から算出する平均値算出手段と、を備え、前記同期間隔計測手段の各面毎の計測結果と面単位平均時間との差から前記基準光ビーム以外の光ビームの書き出しタイミングを決定する画像形成装置を特徴とする。
また請求項２に記載の発明は、前記同期間隔計測手段は、画素クロックよりも高速である高速クロックを用いて計測する請求項１記載の画像形成装置を特徴とする。
また請求項３に記載の発明は、前記高速クロックは、画素クロックのＮ逓倍クロックであり、この高速クロックを用いて書き出しタイミングを調整する請求項１又は２記載の画像形成装置を特徴とする。
【発明の効果】
【０００５】
本発明によれば、リアルタイムにポリゴンミラー回転速度を反映させているので、ポリゴンミラーモータの速度変動（ジター）の影響を取り除くことができ、画像品質を劣化させることがなく、対向側の同期検知装置を取り外すことができるので、書き込みユニットのコストダウンを図ることができる。
【発明を実施するための最良の形態】
【０００６】
以下、図面を参照して、本発明の実施の形態を詳細に説明する。
図１は本発明の書き込みユニットを含む画像形成装置を示す概略図である。図１の画像形成装置Ａにおいて、書き込みユニット１からのＬＤ（レーザダイオード）光は感光体２（Ｋ、Ｙ、Ｃ、Ｍ）上に照射され、夫々の感光体２（Ｋ、Ｙ、Ｃ、Ｍ）上に静電潜像を生成する。
静電潜像は各現像装置５（Ｋ、Ｙ、Ｃ、Ｍ）で現像されて顕像化され、駆動ローラ４で回転駆動される中間転写ベルト３上に転写される。中間転写ベルト３上に転写された画像は、レジストローラ８を介して送られた転写紙Ｓ上に２次転写ローラ７で転写され、画像が転写された転写紙Ｓは定着装置９で熱定着され、排出ローラ１０から外部に排出される。
【０００７】
図２は本発明の書き込みユニット内部の構成例を示す概略上面図である。図２の構成例では、１対のＬＤ変調装置を有する書き込みユニットの内部構成を示している。
図２に示す書き込みユニット１の内部構成において、ＬＤ変調装置１１から出射されたＬＤ光は、回転するポリゴンミラー（回転多面鏡）１３で反射され、図に示す走査方向に走査される。
走査されたＬＤ光は、ｆθレンズ１４を通り、速度変換やビーム整形などされた上で、図１に示した感光体２上を照射し、且つ感光体２上に静電潜像を生成する。また、ＬＤ光は、この走査方向の開始側に設置されている同期検知装置１５を照射し、走査方向の位置合わせを行う。
対向側のＬＤ変調装置１２も同様にポリゴンミラー１３、ｆθレンズ１６を介して、感光体２に静電潜像を生成するが、走査線上に同期検知装置はなく、同期検知装置１５から生成されるタイミングによって、走査方向の位置合わせを行う。
【０００８】
図３は対向側の同期信号を生成する制御ブロックを示す回路図である。図４は基準同期信号の間隔を示す図である。
図３に示す同期検知装置１５から出力された基準同期信号は対向同期生成装置（対向同期信号生成手段）１７内の同期間隔計測ブロック１８に入力される。
同期間隔計測ブロック（同期間隔計測手段）１８では、図４に示す基準同期信号の間隔（ｔ１１〜ｔ３４）を計測し、その計測結果を平均値算出ブロック１９及び時間差算出ブロック２０へ出力する。
平均値算出ブロック（平均値算出手段）１９では、複数のポリゴンミラー面の内で基準面を設定し、計測結果より１回転分の同期検知の平均値（ｔ０〜ｔ２）を算出し、平均同期信号Ｉを生成する。
また、基準同期信号を生成している面から対向側までのポリゴンミラーの面数遅延させた平均同期信号ＩＩＩを生成する。時間差算出ブロック２０では、基準同期信号と平均同期信号ＩＩＩの差を算出し、結果を同期制御ブロック２１へ出力する。
基準同期信号と平均同期信号ＩＩＩの差の算出には、ポリゴンミラーモータによるジターの変動周波数が小さく、ポリゴンミラー１回転ではほとんど変化しないことより、図４に示すようにポリゴンミラー１回転前のｔ１１−ｔ１を使用する。また、平均同期信号は１回転前の値を使用するが、基準同期信号は、現状の値を使用するｔ２１−ｔ１とする方法もある。
【０００９】
同期制御ブロック２１はタイミングを計り、平均同期信号ＩＩＩに時間差算出ブロック２０の算出結果を加算して対向同期信号を生成する。図３に示すＮ逓倍クロック（以下、Ｎ倍クロックという）２２は、画素クロックのＮ倍の周波数となるクロックである。
このＮ倍クロック２２を同期間隔計測ブロック１８に入力し、基準同期信号の間隔計測用に用いる。また、同期制御ブロック２１にもＮ倍クロック２２を入力し、対向同期信号を生成するタイミングをＮ倍クロック２２に同期させて出力する。
同期検知間隔の時間計測を１画素単位よりも小さい誤差で、正確に求めかつ調整することができるので、同期検知装置のない面の同期信号の位置誤差を抑え、画質を向上することができる。
【図面の簡単な説明】
【００１０】
【図１】本発明の書き込みユニットを含む画像形成装置を示す概略図。
【図２】本発明の書き込みユニット内部の構成例を示す概略上面図。
【図３】対向側の同期信号を生成する制御ブロックを示す回路図。
【図４】基準同期信号の間隔を示す図。
【符号の説明】
【００１１】
Ａ  画像形成装置、１３  ポリゴンミラー、１５  同期検知装置、１７  対向同期生成装置、１８  同期間隔計測ブロック、１９  平均値算出ブロック、２０  時間差算出ブロック、２１  同期制御ブロック、２２  Ｎ逓倍クロック
【図１】
2007229963.tif 000003
【図２】
2007229963.tif 000004
【図３】
2007229963.tif 000005
【図４】
2007229963.tif 000006